(57)【要約】小型サイズの書類、特に、封筒（１３）に挿入されるよう仕向けられる書状、手紙および／または文書、および／または物品の折込方法の実施するための自動装置（１０）であって、これにより、極めて高速のペースで折込の実行が可能となり、装填兼反転の回転カム（１７）の山の底部で一枚ずつ取り出され得るように置かれる、上に積み重ねられる封筒の山（１３）が含まれる貯蔵箱（１４）が取付けられる台座（１１）が含まれる。この装填兼反転の回転カム（１７）は折込領域に向けた個別的かつ連続的な封筒（１３）の移動のために設置される。本装置にはこれらの封筒（１３）の軌道に配置されると同時に、封筒の閉封切り返しが切り離されるとともに、装填兼反転の回転カム（１７）に関する接線方向の掻き落し器（２７）により封筒（１３）の背側仕切り面（１５b）が切り離なされるようにこれらの小袋が開かれるために設置される位置決め誘導装置（２６）が含まれる。【選択図】図１Ｂ
2008514515.tif 000002
【特許請求の範囲】
【請求項１】
窓および閉封折り返し（１６）が備えられた正面仕切り面（１５a）および前記閉封折り返しがその上に折り曲げられる背側仕切り面（１５b）のある小袋（１５）が含まれる封筒（１３）中の挿入に充てられる小型サイズ書類、特に書状、手紙および／または文書および／または物品の折込方法が、該封筒の山の貯蔵手段、該封筒の搬送手段、折込領域に向けて発送する書状、手紙および／または文書、および／または物品の引き込み手段、ならびに該封筒の小袋への挿入手段が含まれる装置（１０）により実行されるとともに、閉封折り返し（１６）が裏側に位置すると同時に取出し方向の前方に向けられるように封筒（１３）が貯められること、前記閉封折り返しが、前記小袋（１５）が開くよう下方に拡げられること、封筒の前記閉封折り返しが封筒の装填兼反転用回転カム（１７）の表面と接触するように引き込まれること、封筒がその閉封折り返しにより引きずられながら連続的に移動すること、前記閉封折り返しおよび前記背側仕切り面が前記書状、前記手紙および／または前記文書および／または前記物品の挿入領域に向けて装填兼反転用前記回転カムの前記表面に押しつけられること、封筒の小袋の開袋が装填兼反転用前記回転カムの閉封折り返しが引き出された後、引き続き次に装填兼反転用前記回転カムの前記表面の前記小袋の前記背側仕切り面が引き出されながら進行すること、前記書状、前記手紙、および／または前記文書、および／または前記物品が、充填済封筒が排出されるまでにこれらの小袋内に直接挿入されることを特徴とする自動折込方法。
【請求項２】
前記閉封折り返し（１６）および封筒（１３）の背側仕切り面（１５b）が、カムの内側に向けられる半径方向の吸入により前記装填兼反転の回転カム（１７）の表面に押しつけられることを特徴とする請求項１に記載の方法。
【請求項３】
封筒（１３）の閉封折り返し（１６）が装填兼反転用前記回転カム（１７）から封筒の軌道上に配置される位置決め誘導手段（２６）によって引き離されることを特徴とする請求項１に記載の方法。
【請求項４】
封筒の背側仕切り面（１５b）が少なくとも１台のカムの表面に関する接線方向の掻き落し器（２７）によって装填兼反転の前記回転カム（１７）から引き離されることを特徴とする請求項１に記載の方法。
【請求項５】
封筒（１３）の小袋（１５）の開放が前記位置決め誘導手段（２６）ならびに前記接線方向掻き取り器（２７）によって進められることを特徴とする請求項３および請求項４に記載の方法。
【請求項６】
窓ならびに閉封折り返し（１６）が備えられた正面仕切り面（１５a）および前記閉封折り返し（１６）が上に折られる背側仕切り面（１５b）を有する小袋（１５）が含まれ、封筒（１３）内への挿入に充てられる小型サイズの書類、特に書状、手紙および／または文書および／または物品の自動折込方法の請求項１の方法による封筒（１３）の山の貯蔵手段（１４）、封筒の搬送手段ならびに前記封筒に向けて発送する封筒、書状、手紙、および／または文書、および／または物品の引き込み手段ならびにこれらの封筒の小袋への挿入手段が含まれる装置によって行われるとともに、前記封筒（１３）の搬送手段に、封筒が前記閉封折り返し（１６）により引きずられると同時に前記閉封折り返し（１６）および前記背側仕切り面（１５b）により装填兼反転用前記回転カムの（１７）の表面が押しつけられながら、前記前記書状、前記手紙、および／または前記文書および／または前記物品の小袋（１５）内への挿入領域に向けて、封筒から予め拡げられる閉封折り返し（１６）が捕捉され、貯えの山から封筒が取り出されると同時に封筒が移動されるために設置される前記封筒（１３）の装填兼反転のカム（１７）が含まれること、前記挿入手段に、装填兼反転用前記回転カム（１７）からの封筒の閉封折り返しの切り離しならびにこれらの小袋の開袋のために封筒の軌道上に配置される位置決め誘導装置（２６）ならびに封筒（１３）の背側仕切り面（１５b）の引き離しのための少なくとも１台の回転カム表面に関する接線方向の掻き落し器（２７）が含まれ、前記位置決め誘導装置（２６）および前記接線方向掻き取り器（２７）が封筒を開いたままの姿勢が保たれるために設置されることを特徴とする実施装置（１０）。
【請求項７】
前記封筒（１３）の装填兼反転の回転カム（１７）の前記表面に穿孔部（２１）が設けられる少なくとも１つの外周面（２０）が含まれることならびに前記穿孔部（２１）が吸入装置に接続されることを特徴とする請求項６に記載の装置。
【請求項８】
穿孔部（２１）が備えられた前記外周面（２０）に、閉封折り返し（１６）の支持隆起部（２５）ならびに封筒の小袋（１５）の背側仕切り面（１５b）の支持領域が含まれること、ならびに支持隆起部の半径が背側仕切り面の支持領域のものより大きいことを特徴とする請求項７に記載の装置。
【発明の詳細な説明】
【技術分野】
【０００１】
本発明は小型サイズの書類、特に、窓および閉封折り返しが備わった正面仕切り面および閉封折り返しがその上に折り込まれる背側仕切り面をもつ小袋が含まれる封筒内への挿入が準備される書状、手紙および／または文書および／または物品の自動折込方法に関するもので、その折込は封筒の山の貯蔵手段、封筒の搬送手段、前記封筒に向けて発送する書状、手紙および／または文書および／または物品の引き込みならびにこれらの封筒の小袋への挿入の手段が含まれる装置により行われる。
【０００２】
本発明はまた小型サイズの書類、特に、窓および閉封折り返しが備えられた正面仕切り面および上に閉封折り返しが折り込まれる背側仕切り面のある小袋が含まれる封筒内への挿入に充てられる書状、手紙、および／または文書、および／または物品の自動折込に関する本方法の実施装置にも関するもので、この折込はこれらの封筒の山の貯蔵手段、これらの封筒の搬送手段、前記封筒に向けて発送する書状、手紙、および／または文書、および／または物品の引き込み手段ならびにこれらの封筒の小袋内への挿入手段が含まれる装置により行われる。
【背景技術】
【０００３】
大規模な郵便による配達を目的として書状および／または付属物が封筒内に入れられるためのこのタイプの装置は既に知られている。これらの装置は一般的に構造が複雑であるだけでなく、２種類の発送品要素の折込領域と呼ばれる合流領域に向けて一方で封筒が、他方で付属物と一緒に書状が誘導されると同時に送られるために動く多数の機械部品が含まれる。封筒及び手紙の発送路は、既知の装置では、付属物は別であっても折込領域が共通であるように設定されて、封筒は排出されるまでに折り込まれる文書の軌道と向かい合う軌道により発送される。封筒は通常はその窓が上に向けられた姿勢で到達する。一方では受取人の宛名の記された書状あるいはその他の手紙が、他方では付属物が含まれる挿入文書が、手紙が山の上で付属物が下になるように折込領域に必ず到着しなくてはならない。この位置決めには少なくとも１つの書状とその付属物類で構成される群の反転の段階が含まれる。実際、書状が最初に引き込まれるとともに、書状の搬送軌道上に置かれる手持ち分からやってくる付属物は連続的にかつ選択的にこの書状の上に置かれる。その結果、受取人の宛名が見えると同時に封筒の窓に現れるためには、書状はその宛先を下にして最初に置かれると同時に、付属物類は宛名が隠れないように書状の裏に置かれる必要がある。封筒は上部にその窓が示されるので書状と付属物類から構成される群は必ず反転されなくてはならない。
【０００４】
反転の装置は複雑な構造を有すると同時に、その作動が相対的に遅いと同時に、折込ペースの顕著な低下が生じている。実際、この装置では、各サイクルは次のサイクルが順次開始可能になるまでに完全に完了していなくてはならない、すなわち、ある封筒は、次の封筒が文書を受取るため同じ領域で発送可能となるまでに、これに充てられかつ折込領域から排出される文書で装填されなくてはならない。従って、ペースはラインの最も遅いユニットにより制約される。さらに、反転のユニットは間違いなく減速装置要素として見なされ得る。極めて複雑で費用がかかる上に所望される作動ペースの増加が妨げられるその構造が単純化されてこれらが構成されるユニットの性能が改善されると同時に、これらの折込ライン性能が改善されることが現実に特に求められている。
【０００５】
封筒に入れる前の文書の折り畳みがほぼ可能な文書の折込機械に関する米国特許3,253,384が特に知られている。この機械は時間当たり4,000封筒から6,000封筒程度までの比較的遅いペースを有している。実際のペースは時間当たり20,000封筒を越えるとともに、付属文書の折り畳みは折込ユニットと平行して置かれる分離された装置にて行われる。
【特許文献１】米国特許3,253,384
【発明の開示】
【発明が解決しようとする課題】
【０００６】
本発明の目的は維持が簡単であると同時に極めてハイペースの自動折込の実行を可能にする単純で効率的かつ経済的な構造の装置を提供して既知の装置の欠点を緩和することである。
【課題を解決するための手段】
【０００７】
この目的は序文で定義されると同時に、閉封折り返しが裏側に位置すると同時に取出し方向の前方に向けられるように封筒の山が貯められること、前記小袋が開かれるために前記閉封折り返しが下方に拡げられること、封筒の前記閉封折り返しが封筒の装填兼反転の回転カムの表面との接触状態に引き込まれること、前記書状、前記手紙、および／または前記文書および／または前記物品の挿入領域に向けて閉封折り返しにより引きずられながら封筒が連続して移動しながら、前記閉封折り返しと前記背側仕切り面が装填兼反転の前記回転カムの表面に押しつけられること、装填兼反転の閉封折り返しが前記回転カムから引き出された後に続けて装填兼反転の前記回転カムの前記表面の小袋から小袋の前記背側仕切り面が引き出されながら封筒の小袋の開袋が進められること、充填済封筒が排出されるまでに前記書状、前記手紙、および／または前記文書および／または前記物品が直接これらの小袋内に挿入されることを特徴とする方法により達せられる。
【０００８】
有利な方法では、封筒の閉封折り返しと背側仕切り面がこのカムの内側に向けた半径方向の吸入により装填兼反転の前記回転カムの表面に押しつけられる。
【０００９】
好ましくは、封筒の閉封折り返しは装填兼反転の前記回転カムからこれらの封筒の軌道に置かれる位置決め誘導手段によって切り離される。
【００１０】
好ましい方法では、封筒の背側仕切り面は装填兼反転の前記回転カムからこのカムの表面に関する接線方向の少なくとも１台の掻き落し器によって切り離される。
【００１１】
封筒の小袋の開袋は前記位置決め誘導手段ならびに前記接線方向掻き落し器によって都合良く進められる。
【００１２】
本自動折込方法に関する実施装置は、封筒の搬送手段に、前記書状、前記手紙、および／または前記文書および／または前記物品の前記小袋内への挿入領域に向けた貯えの山からの封筒の取出し用ならびにこれらの封筒の移動用の封筒から予め拡げられた閉封折り返しの捕捉用に設けられる前記封筒の装填兼反転のカムが含まれ、これらがこれらの閉封折り返しにより引きずられながら、前記閉封折り返しと前記背側仕切り面が装填兼反転の前記回転カムの前記表面に押しつけられること、前記挿入手段に閉封折り返しが装填兼反転の前記回転カムから切り離されるために封筒の軌道上に置かれる位置決め誘導装置ならびに背側仕切り面が切り離なされるための少なくとも１台の接線方向掻き落し器が含まれ、前記位置決め誘導装置と前記接線方向掻き落し器が封筒の開いた姿勢が維持されるために設置されることを特徴とする。
【００１３】
好ましい実施形態例によると、前記封筒の装填兼反転の回転カムの前記表面には開口部で穿孔された少なくとも１つの外周面が含まれると同時に、前記開口部は吸入装置に接続される。
【００１４】
開口部で穿孔された前記外周面には閉封折り返しの支持隆起部ならびに封筒の小袋の背側仕切り面の支持領域が含まれると同時に、支持隆起部の半径は背側仕切り面の支持領域のそれよりも大きいのが便利である。
【００１５】
好ましい実施形態例によると、本装置には封筒の閉封折り返しが切り離なされると同時にその小袋が開けられるために設置されるこれらの封筒の軌道上に置かれる位置決め誘導装置が含まれる。
【００１６】
同様にして、本装置には封筒の背側仕切り面の切り離しのために設置される装填兼反転の前記回転カムの表面に関する接線方向掻き落し器が含まれる。
【発明を実施するための最良の形態】
【００１７】
図面類を参照すると、装置１０には１本あるいは必要な場合には２本の横方向支持材要素により図式的に示される台座１１が含まれ、山１４に合わせて配置される封筒１３の貯蔵箱１２が取付けられる。これらの封筒には窓および閉封折り返し１６が備えられた正面仕切り面１５aおよび封筒１３が貯められる場合に前記閉封折り返し１６が貼られないで折り曲げられるとともに書状、あるいはその他のあらゆる手紙や付属文書の挿入後に貼られる背側仕切り面１５bのある小袋１５が含まれる。封筒１３は閉封折り返し１６が山１４の箱の下に向けられるように置かれると同時に山の下にある閉封折り返し１６が折込サイクルの最初に部分的に開かれる。
【００１８】
装置１０にはさらに装填兼反転の回転カム１７およびこのカムと向かい合う支持ローラー１８が含まれる。図１Ａに示されるように、装填兼反転の回転カム１７には複数の穿孔穴２１が設けられた外周表面２０が含まれると同時に、隆起を有する摩擦係数の大きな材料で製作される複数の帯２２が含まれる。装填兼反転の回転カム１７により下部空間１９が閉鎖されると同時に定められるとともに、カムが上に取付けられる中空軸２３によってこの下部空間に連結されるのが好ましい穿孔穴群２１ならびに吸入装置（図示されず）と通じる。装填兼反転の回転カム１７には閉封折り返し１６が開かれるために設置される口２４ならびに半径が外周面２０のものより大きい支持隆起２５が含まれる。この隆起は穿孔穴部２１も含むと同時に、封筒１３の閉封折り返し１６に対する支えとしても利用される一方で、外周面２０は背側仕切り面１５bに対する支えとして利用される。
【００１９】
支持ローラー１８は封筒のつまみと同時に山１４からの取出しが確保されるために装填兼反転の回転カム１７と共働する。
【００２０】
装置１０にはさらに封筒１３の軌道上に置かれると同時に封筒の閉封切り返し１６が切り離されかつ小袋１５が開かれるために設置される位置決め誘導装置２６が含まれる。これには装填兼反転の前記回転カム１７から封筒の背側仕切り面１５bが切り離されるために設置される少なくとも１台の掻き落し器２７も含まれる。説明された実施例では、これに台座により支えられる軸２８上に取付けられる２台の平行した掻き落し器２７が含まれると同時に、これらは装填兼反転の回転カム１７の外周面に支持が取られる自由端で軽いカーブの付いた２枚の薄板から構成される。
【００２１】
本装置にはさらにその下部部分にくり抜かれた留め金状の押しボタン２９が設置されると同時に、このボタンは、封筒１３の小袋内１５に書状、手紙および付属物が押し出されると同時に駆動輪３１および該駆動輪上に支持が取られる圧搾ローラー３２により図式的に示される排出手段３０の方向にこれらの充填済封筒が押し戻されるために設置される。
【００２２】
作動サイクル中、装置１０は封筒の閉封折り返しが封筒の裏に位置すると同時に取出し方向前方に向けられるように封筒が貯められる本発明の方法に合致して作動する
【００２３】
これらの閉封折り返しは装填兼反転の回転カム１７の口２４により下方に向けて拡げられる。この閉封折り返しは隆起２５と接触するよう引き込まれると同時に封筒が山１４から取り出されるとともに、装填兼反転の回転カム１７の外周面２０の吸入により押し付けられる上に、書状、手紙そして付属物の受入れ領域つまりいわゆる折込の領域の方に裏返された姿勢で引き込まれる。
【００２４】
従って、この一連の運転が行われるための装置１０を構成する要素は次のように作動する。装填兼反転の回転カム１７は口２４により封筒１３の山１４の下部の封筒の閉封折り返し１６が引っかけられるように時計の針の方向に回転する。閉封折り返しは隆起２５に貼り付くと同時に、封筒の小袋１５が穿孔穴２１を通る吸入のおかげで装填兼反転の回転カム１７の外周面２０に貼り付く。封筒１３は装填兼反転の回転カム１７により軌道上で裏返される。
【００２５】
封筒１３が折込領域のあたりに到着する時に、誘導装置２６は閉封折り返しをそらせた後、小袋１５に入り込むと同時にこの袋が開けられる。
【００２６】
掻き落し器２７により背面１５bが小袋１５から切り離される。
【００２７】
誘導装置２６により封筒は上に付属物が置かれた書状および／または手紙をいつでも受入れるように封筒が開かれたままに維持される。封筒は次に押しボタン２９により押し流されると同時に駆動輪３１ならびに圧搾ローラー３２によって排出される。
【００２８】
本発明による本装置によりこうして封筒ならびに取扱文書に関する自動折込の管理が極めて高速なペースでリスクの無く可能となる。
【図面の簡単な説明】
【００２９】
本発明とその利点は付録図面を参照して非限定な例として挙げられる好ましい実施形態の説明の中でさらにはっきりしよう。すなわち、
【００３０】
【図１Ａ】本発明による好ましい実施形態例が構成される主な要素が示される部分透視図。
【図１Ｂ】ある作動決定段階で示される図１Ａによる装置の立面図。
【図２Ａ】もう一つの作動決定段階で示される図１Ａによる装置の立面図。
【図２Ｂ】図２Ａの装置の一部の部分拡大図。
【図３Ａ】もう１つ別の作動決定段階で示される図１Ａによる装置の立面図。
【図３Ｂ】図３Ａの装置の一部の部分拡大図。
【図４Ａ】もう１つ別の作動決定段階で示される図１Ａによる装置の立面図。
【図４Ｂ】図４Ａの装置の一部の部分拡大図。
【図１Ａ】
2008514515.tif 000003
【図１Ｂ】
2008514515.tif 000004
【図２Ａ】
2008514515.tif 000005
【図２Ｂ】
2008514515.tif 000006
【図３Ａ】
2008514515.tif 000007
【図３Ｂ】
2008514515.tif 000008
【図４Ａ】
2008514515.tif 000009
【図４Ｂ】
2008514515.tif 000010
【手続補正書】
【提出日】平成19年6月5日(2007.6.5)
【手続補正１】
【補正対象書類名】特許請求の範囲
【補正対象項目名】全文
【補正方法】変更
【補正の内容】
【特許請求の範囲】
【請求項１】
山の状態で貯えられると同時に内面に配置される閉封折り返し（１６）が備えられ、装填のために前方へ向けられた封筒（１３）への挿入に充てられる物品の自動折込方法で、封筒（１３）の閉封折り返し（１６）が前記封筒（１３）の開放用の回転カム（１７）の口（２４）によって拡げられ、封筒（１３）の閉封折り返し（１６）と回転カム（１７）の表面とが接触状態に引き込まれると同時に該折り返しと該表面との接触状態が維持され、封筒が閉封折り返し（１６）により引きずられ、封筒（１３）が回転カム（１７）の表面と接触状態に置かれるとともに該封筒の該表面への押し付けが維持され、封筒が充填領域の領域に引き込まれて、これらの操作が封筒（１３）の装填兼反転用の回転カム（１７）により実行されること、封筒（１３）が開かれることならびに閉封折り返し（１６）が封筒（１３）と合わせて回転カム（１７）の表面から切り離されること、ならびに物品が、充填済み封筒が排出されるまでに封筒（１３）内に挿入されることを特徴とする方法。
【請求項２】
封筒（１３）に背側仕切り面（１５b）、閉封折り返し（１６）が含まれるとともに該封筒（１３）背側仕切り面（１５b）が回転カム（１７）の内側の方に向けられる半径方向の吸入により回転カム（１７）の表面に押し付けられることを特徴とする請求項１による方法。
【請求項３】
封筒（１３）の閉封折り返し（１６）が封筒（１３）の軌道上に配置される位置決め誘導装置（２６）によって回転カム（１７）から切り離されることを特徴とする請求項１による方法。
【請求項４】
封筒（１３）に背側仕切り面（１５b）が含まれ、封筒の該背側仕切り面（１５b）が接線方向掻き取り器（２７）によって回転カム（１７）から切り離されることを特徴とする請求項１による方法。
【請求項５】
封筒（１３）が位置決め誘導装置（２６）によって開かれることを特徴とする請求項３および請求項４による方法。
【請求項６】
封筒（１３）の山の貯蔵手段（１４）、封筒（１３）の搬送手段、物品類の封筒（１３）に向けた引き込み手段ならびにそれらの封筒（１３）への挿入手段が含まれるとともに、封筒（１３）の搬送手段に封筒（１３）の装填兼反転用のカム（１７）が含まれ、該カム（１７）に封筒（１３）の閉封折り返し（１６）の捕捉用ならびにその開放用に設置される口（２４）が含まれ、該カム（１７）が封筒（１３）の閉封折り返し（１６）のカム（１７）表面への押し付け維持用ならびに封筒（１３）の閉封折り返し（１６）による山の外への引きずり出し用に設置されると同時に該カムが物品類の挿入領域に封筒（１３）が引き込まれるための封筒（１３）のカム（１７）表面への押し付け用に設置されることを特徴とする物品の自動折込装置（１０）。
【請求項７】
物品類の封筒（１３）の方への引き込み手段に、回転カム（１７）から閉封折り返し（１６）が切り離なされると同時に封筒（１３）が開かれるための封筒（１３）の軌道上に配置される位置決め誘導装置（２６）ならびに封筒（１３）の背側仕切り面（１５b）の切り離し用の回転カム（１７）の表面と関連して配置される少なくとも１台の接線方向掻き落し器（２７）が含まれ、該位置決め誘導装置（２６）が、封筒（１３）が開いたままの姿勢に維持されるために設置されることを特徴とする請求項６による装置。
【請求項８】
回転カム（１７）の表面に開口部（２１）により穿孔される少なくとも１つの外周面（２０）が含まれること、ならびに穿孔穴（２１）が吸入装置と接続されることを特徴とする請求項６あるいは請求項７による装置。
【請求項９】
穿孔穴（２１）が設けられる前記外周面（２０）に閉封折り返し（１６）を支えるための隆起（２５）ならびに封筒（１３）用の支持領域が含まれること、ならびに支持隆起（２５）の半径が支持領域の半径より高いことを特徴とする請求項８による装置。
【手続補正２】
【補正対象書類名】明細書
【補正対象項目名】全文
【補正方法】変更
【補正の内容】
【書類名】明細書
【発明の名称】文書を主とする小型サイズ書類の自動折込方法と該方法の実施装置
【技術分野】
【０００１】
本発明は下面に合わせて配置される閉封折り返しが備えられ、山に貯えられ、装填のため前方に向けられる封筒中に挿入される物品類の自動折込方法に関する。
【０００２】
これはまた、封筒の山の貯蔵手段、封筒の搬送手段、物品の封筒への引き込みならびにこれらの封筒への挿入手段が含まれる自動折込装置にも関する。
【背景技術】
【０００３】
大規模な郵便による配達を目的として書状および／または付属物が封筒内に入れられるためのこのタイプの装置は既に知られている。これらの装置は一般的に構造が複雑であるだけでなく、２種類の発送品要素の折込領域と呼ばれる合流領域に向けて一方で封筒が他方で付属物と一緒に書状が誘導されると同時に送られるために動く多数の機械部品が含まれる。封筒及び手紙の発送路は、既知の装置では、付属物は別であっても折込領域が共通であるように設定されて、封筒は排出されるまでに折り込まれる文書の軌道と向かい合う軌道により発送される。封筒は通常はその窓が上に向けられた姿勢で到達する。一方では受取人の宛名の記された書状あるいはその他の手紙が、他方では付属物が含まれる挿入文書が、手紙が山の上で付属物が下になるように折込領域に必ず到着しなくてはならない。この位置決めには少なくとも１つの書状とその付属物類で構成される群の反転の段階が含まれる。実際、書状が最初に引き込まれるとともに、書状の搬送軌道上に置かれる手持ち分からやってくる付属物は連続的にかつ選択的にこの書状の上に置かれる。その結果、受取人の宛名が見えると同時に封筒の窓に現れるためには、書状はその宛先を下にして最初に置かれると同時に、付属物類は宛名が隠れないように書状の裏に置かれる必要がある。封筒は上部にその窓が示されるので書状と付属物類から構成される群は必ず反転されなくてはならない。
【０００４】
反転の装置は複雑な構造を有すると同時に、その作動が相対的に遅いと同時に、折込ペースの顕著な低下が生じている。実際、この装置では、各サイクルは次のサイクルが順次開始可能になるまでに完全に完了していなくてはならない、すなわち、ある封筒は、次の封筒が文書を受取るため同じ領域で発送可能となるまでに、これに充てられかつ折込領域から排出される文書で装填されなくてはならない。従って、ペースはラインの最も遅いユニットにより制約される。さらに、反転のユニットは間違いなく減速装置要素として見なされ得る。極めて複雑で費用がかかる上に所望される作動ペースの増加が妨げられるその構造が単純化されてこれらが構成されるユニットの性能が改善されると同時に、これらの折込ライン性能が改善されることが現実に特に求められている。
【０００５】
封筒に入れる前の文書の折り畳みがほぼ可能な文書の折込機械に関する米国特許3,253,384が特に知られている。この機械は時間当たり4,000封筒から6,000封筒程度までの比較的遅いペースを有している。実際のペースは時間当たり20,000封筒を越えるとともに、付属文書の折り畳みは折込ユニットと平行して置かれる分離された装置にて行われる。
【特許文献１】米国特許3,253,384
【発明の開示】
【発明が解決しようとする課題】
【０００６】
本発明の目的は維持が簡単であると同時に極めてハイペースの自動折込の実行を可能にする単純で効率的かつ経済的な構造の装置を提供して既知の装置の欠点を緩和することである。
【課題を解決するための手段】
【０００７】
この目的は序文で定められると同時に、封筒の閉封折り返しが、前記封筒が開けられるため回転カムの口によって拡げられ、封筒の閉封折り返しが回転カムの表面と接触するよう引き込まれると同時に該折り返しと該表面との接触が維持され、閉封折り返しにより封筒が引きずられ、封筒が回転カムの表面と接触状態に置かれると同時に該封筒が該表面への押しつけが維持され、封筒が充填領域の領域に引き込まれ、これらの操作が封筒の装填兼反転のための回転カムにより実行されること、封筒が開かれるとともに閉封折り返しが封筒と一緒に回転カムの表面から切り離されること、ならびに充填済封筒が排出されるまでに物品が封筒の中に挿入されることを特徴とする方法により達せられる。
【０００８】
有利な方法では、封筒の閉封折り返しと背側仕切り面がこのカムの内側に向けた半径方向の吸入により装填兼反転の前記回転カムの表面に押しつけられる。
【０００９】
好ましくは、封筒の閉封折り返しは装填兼反転の前記回転カムからこれらの封筒の軌道に置かれる位置決め誘導手段によって切り離される。
【００１０】
好ましい方法では、封筒の背側仕切り面は装填兼反転の前記回転カムからこのカムの表面に関する接線方向の少なくとも１台の掻き落し器によって切り離される。
【００１１】
封筒の前記誘導位置決め手段によって封筒の小袋の開袋が都合良く進められる。
【００１２】
自動折込の本方法に関する実施装置は、封筒の搬送手段に封筒の装填兼反転用のカムが含まれ、該カムに封筒の閉封折り返しの捕捉ならびにその開放用に設置される口が含まれ、該カムが封筒の閉封折り返しのカム表面への押し付けの維持と同時に閉封折り返しによる封筒の山の外への引きずり出し用に設置されるとともに、該カムが封筒の物品の挿入領域への引き出しのための封筒のカム表面への押し付け用に設置されることを特徴とする。
【００１３】
好ましい実施形態例によると、前記封筒の装填兼反転の回転カムの前記表面には開口部で穿孔された少なくとも１つの外周面が含まれると同時に、前記開口部は吸入装置に接続される。
【００１４】
開口部で穿孔された前記外周面には閉封折り返しの支持隆起部ならびに封筒の小袋の背側仕切り面の支持領域が含まれると同時に、支持隆起部の半径は背側仕切り面の支持領域のそれよりも大きいのが便利である。
【００１５】
好ましい実施形態例によると、本装置には封筒の閉封折り返しが切り離なされると同時にその小袋が開けられるために設置されるこれらの封筒の軌道上に置かれる位置決め誘導装置が含まれる。
【００１６】
同様にして、本装置には封筒の背側仕切り面の切り離しのために設置される装填兼反転の前記回転カムの表面に関する接線方向掻き落し器が含まれる。
【発明を実施するための最良の方法】
【００１７】
図面類を参照すると、装置１０には１本あるいは必要な場合には２本の横方向支持材要素により図式的に示される台座１１が含まれ、山１４に合わせて配置される封筒１３の貯蔵箱１２が取付けられる。これらの封筒には窓および閉封折り返し１６が備えられた正面仕切り面１５aおよび封筒１３が貯められる場合に前記閉封折り返し１６が貼られないで折り曲げられるとともに書状、あるいはその他のあらゆる手紙や付属文書の挿入後に貼られる背側仕切り面１５bのある小袋１５が含まれる。封筒１３は閉封折り返し１６が山１４の箱の下に向けられるように置かれると同時に山の下にある閉封折り返し１６が折込サイクルの最初に部分的に開かれる。
【００１８】
装置１０にはさらに装填兼反転の回転カム１７およびこのカムと向かい合う支持ローラー１８が含まれる。図１Ａに示されるように、装填兼反転の回転カム１７には複数の穿孔穴２１が設けられた外周表面２０が含まれると同時に、隆起を有する摩擦係数の大きな材料で製作される複数の帯２２が含まれる。装填兼反転の回転カム１７により下部空間１９が閉鎖されると同時に定められるとともに、カムが上に取付けられる中空軸２３によってこの下部空間に連結されるのが好ましい穿孔穴群２１ならびに吸入装置（図示されず）と通じる。装填兼反転の回転カム１７には閉封折り返し１６が開かれるために設置される口２４ならびに半径が外周面２０のものより大きい支持隆起２５が含まれる。この隆起は穿孔穴部２１も含むと同時に、封筒１３の閉封折り返し１６に対する支えとしても利用される一方で、外周面２０は背側仕切り面１５bに対する支えとして利用される。
【００１９】
支持ローラー１８は封筒のつまみと同時に山１４からの取出しが確保されるために装填兼反転の回転カム１７と共働する。
【００２０】
装置１０にはさらに封筒１３の軌道上に置かれると同時に封筒の閉封切り返し１６が切り離されかつ小袋１５が開かれるために設置される位置決め誘導装置２６が含まれる。これには装填兼反転の前記回転カム１７から封筒の背側仕切り面１５bが切り離されるために設置される少なくとも１台の掻き落し器２７も含まれる。説明された実施例では、これに台座により支えられる軸２８上に取付けられる２台の平行した掻き落し器２７が含まれると同時に、これらは装填兼反転の回転カム１７の外周面に支持が取られる自由端で軽いカーブの付いた２枚の薄板から構成される。
【００２１】
本装置にはさらにその下部部分にくり抜かれた留め金状の押しボタン２９が設置されると同時に、このボタンは、封筒１３の小袋内１５に書状、手紙および付属物が押し出されると同時に駆動輪３１および該駆動輪上に支持が取られる圧搾ローラー３２により図式的に示される排出手段３０の方向にこれらの充填済封筒が押し戻されるために設置される。
【００２２】
作動サイクル中、装置１０は封筒の閉封折り返しが封筒の裏に位置すると同時に取出し方向前方に向けられるように封筒が貯められる本発明の方法に合致して作動する。
【００２３】
これらの閉封折り返しは装填兼反転の回転カム１７の口２４により下方に向けて拡げられる。この閉封折り返しは隆起２５と接触するよう引き込まれると同時に封筒が山１４から取り出されるとともに、装填兼反転の回転カム１７の外周面２０の吸入により押し付けられる上に、書状、手紙そして付属物の受入れ領域つまりいわゆる折込の領域の方に裏返された姿勢で引き込まれる。
【００２４】
従って、この一連の運転が行われるための装置１０を構成する要素は次のように作動する。装填兼反転の回転カム１７は口２４により封筒１３の山１４の下部の封筒の閉封折り返し１６が引っかけられるように時計の針の方向に回転する。閉封折り返しは隆起２５に貼り付くと同時に、封筒の小袋１５が穿孔穴２１を通る吸入のおかげで装填兼反転の回転カム１７の外周面２０に貼り付く。封筒１３は装填兼反転の回転カム１７により軌道上で裏返される。
【００２５】
封筒１３が折込領域のあたりに到着する時に、誘導装置２６は閉封折り返しをそらせた後、小袋１５に入り込むと同時にこの袋が開けられる。
【００２６】
掻き落し器２７により背面１５bが小袋１５から切り離される。
【００２７】
誘導装置２６により封筒は上に付属物が置かれた書状および／または手紙をいつでも受入れるように封筒が開かれたままに維持される。封筒は次に押しボタン２９により押し流されると同時に駆動輪３１ならびに圧搾ローラー３２によって排出される。
【発明の効果】
【００２８】
本発明による本装置によりこうして封筒ならびに取扱文書に関する自動折込の管理が、極めて高速なペースでリスク無く可能となる。
【図面の簡単な説明】
【００２９】
本発明とその利点は付録図面を参照して非限定な例として挙げられる好ましい実施形態の説明の中でさらにはっきりする。
【００３０】
【図１Ａ】本発明による好ましい実施形態例が構成される主な要素が示される部分透視図。
【図１Ｂ】ある作動決定段階で示される図１Ａによる装置の立面図。
【図２Ａ】もう一つの作動決定段階で示される図１Ａによる装置の立面図。
【図２Ｂ】図２Ａの装置の一部の部分拡大図。
【図３Ａ】もう１つ別の作動決定段階で示される図１Ａによる装置の立面図。
【図３Ｂ】図３Ａの装置の一部の部分拡大図。
【図４Ａ】もう１つ別の作動決定段階で示される図１Ａによる装置の立面図。
【図４Ｂ】図４Ａの装置の一部の部分拡大図。
【国際調査報告】
2008514515.tif 000011
2008514515.tif 000012
2008514515.tif 000013
2008514515.tif 000014